(57)【要約】  【課題】  ダム型堰堤やコンクリート護岸や堤防などにより、水の流れとの高低差を少なくしてしまった岸辺に、石や岩の多い土砂を堆積させて、自然の岸辺を回復させる。  【解決手段】  コンクリート等により堰堤を作ります。片側の岸辺より河川の斜め上流に向かい、河川中央に近づくに従いその高さを低くする構造として、岸辺に石や岩の多い土砂を堆積させます。これにより、河川の底の横断面をＵ字型構造に戻して、自然環境においても治水施策上においても良好な河川の状態を取り戻します。 【選択図】  図１
2012021353.tif 000002
【特許請求の範囲】
【請求項１】
河川の上流或いは中流において、片側の岸辺より先端部が河川の斜め上流方向に向かい、前記先端部が河川中央付近或いはその途中までの長さとした堰堤を建設することを特徴とする、河川の自然と治水を回復する堰堤の方法。
【請求項２】
片側の岸辺に対向する側の岸辺より先端部が河川の斜め上流方向に向かい、前記先端部が河川中央付近或いはその途中までの長さとした堰堤を建設し、片側の岸辺より先端部が河川の斜め上流方向に向かい、前記先端部が河川中央付近或いはその途中までの長さとした堰堤を建設し、前述片側の岸辺に対向する側の岸辺に設けた堰堤の先端部と、前述片側の岸辺に設けた堰堤の先端部とが接続或いは離間している事を特徴とする請求項１に記載の、河川の自然と治水を回復する堰堤の方法。
【請求項３】
堰堤は片側の岸辺に沿って連続して複数設置されている事を特徴とする請求項１に記載の、河川の自然と治水を回復する堰堤の方法。
【請求項４】
堰堤は先端部に進むに従いその高さを減ずることを特徴とする請求項１〜３のいずれかの河川の自然と治水を回復する堰堤の方法
【請求項５】
堰堤は、水及び土、砂、砂利、小石を排出する排出口が設けられていることを特徴とする請求項１〜４のいずれかの河川の自然と治水を回復する堰堤の方法
【発明の詳細な説明】
【技術分野】
【０００１】
河川の上流部及び中流部における、自然と治水を回復する堰堤に関する発明です。
【背景技術】
【０００２】
河川は雨の水を集めて下流に流しています。それと共に、山地で産出された大小様々な土砂も同時に流下させています。降る雨の量はその時々によって異なり川の水は不規則に増減します。山地から流出する土砂はその大きさ重量がそれぞれ異なるために、その流下する速度もそれぞれに異なります。
これによって、河川の中上流部の岸辺には比較的大きな土砂が集まることが多く、水の流れは岸辺より低い河川中央部に集まる傾向があります。ですから、河川の中上流部の川底の横断面はＵ字型に形成されるのが普通です。
【０００３】
河川の上流部や中流部においては、ダム型堰堤や、コンクリート護岸や、コンクリートに覆われた堤防が多く設置されてきました。これらは、土砂の流下を防ぎ、岸辺を守り、溢れ出る水を防ぐ等の重要な役割を果たしています。しかしながら、これらダム型堰堤や護岸や堤防は、河川のＵ字型構造の形成を妨げています。
【０００４】
ダム型堰堤を建設するとその上流には、岸辺と流れとの間で高低差の少ない平坦な河原が出現します。コンクリート護岸やコンクリートに覆われた堤防では、比較的大きな石や岩などの土砂も岸辺に集めることなく拡散させて下流に押し流してしまいます。やがて、水の流れる中央が低く岸辺が高い、河川本来の様相は変化して河川敷が平板化します。
ですから、これらダム型堰堤やコンクリート護岸やコンクリート製の堤防は、中上流部の河川の川底の横断面を凹字型に変化させてしまいます。
【０００５】
河川の川底の横断面が凹字型に変化することは、河川の自然環境を悪化させるだけでなく、その治水をも困難なものに変えています。
上流では、岸辺に石や岩があることにより変化していた水の流れが直線的になります。大きな石や岩があることによって堰止められていた土砂の流下も早まります。ですから、それまでに比べて急な増水が多くなります。
中流では、上流からの土砂の流下量が増え、川の流れが浅くなり、石や岩が岸辺にあることによって促進されていた砂や砂利など小さな土砂の流下も滞り、土砂の堆積量がさらに増えます。何れの場合も、治水は困難な状況に変化していきます。
【０００６】
石や岩など大きめの土砂を岸辺に堆積させることが出来れば、水と土砂の流下を自然の状態に戻し、河川を本来の姿に戻す事が出来ます。それは、河川の自然環境を戻す事であり、同時に河川の治水を容易にする事でもあります。岸辺に大きめの土砂が堆積し易くなり、水の流れが中央部に集まるようにする事が必要です。
【０００７】
従来より建設されてきたダム型堰堤では、土砂を堰き止めることにのみ関心が持たれ、水と土砂の自然の流下の仕方が着目されることはありませんでした。
したがって、河川の川底のＵ字型形状の問題や、石や岩など大きな土砂の重要性についてもほとんど考慮されていません。これは特許文献に見られる堰堤の建設の場合でも同様です。（例えば、特許文献１、２、参照。）
【先行技術文献】
【特許文献】
【０００８】
【特許文献１】特許第４０４７０３０号
【特許文献２】特許第４２７５５９５号
【発明の概要】
【発明が解決しようとする課題】
【０００９】
自然環境の破壊を防ぐ意味でも、河川の治水を改善するためにも、不必要に石や岩を下流に流すことなく、岸辺が高く水の流れが低いＵ字型の川底の横断面構造を作り出す方法の開発が必要です。
【課題を解決するための手段】
【００１０】
人工の護岸ではない、石や岩のある自然状態の河川を観察すると、それらの岸辺には多くの石や岩を見ることが出来ます。場所によっては多くの石や岩が上下左右に重なり合っている所を見る事も出来ます。これは上流に限った事ではなく、中流部でも同様に岸辺において多くの石を見ることが出来ます。
【００１１】
自然状態の岸辺に見られる多くの石や岩は、石や岩が自然に組み合わされて作り出された自然の護岸でもあります。これらの石や岩は上流から流れてきたものであり、増水や減水によって増減する水の力によって自然に組み合わさったものです。
【００１２】
増水時に上流から流れて来る石や岩を岸辺近くで堰き止める事によって、水の流れる中央が低く、岸辺が高い自然本来の土砂の堆積を再現する事が可能です。
【００１３】
コンクリート、鉄鋼、木材等により堰堤を作ります。堰堤は、片側の岸辺より河川の斜め上流に向かい、河川の中央部付近或いはその途中までの長さとします。また、堰堤は河川の中央に近づくに従いその高さを低くする構造とします。
その長さや高さは堆積させる土砂の質や量によって決定しますから、建設する場所ごとに異なります。石や岩が小さい場合や土砂の堆積量を少なくしたい場合は、その長さは短く、全体の高さは低くします。逆に石や岩が大きい場合や堆積量を増やしたい場合は、その長さは長く、全体の高さは高くします。
さらに、小さな土砂や水が流下出来る排出口として穴やスリットを堰堤に設置すれば、建設地付近に見られる比較的大きな石や岩をより多く岸辺に堆積させる事が出来ます。
【００１４】
これにより、増水ごとに流れて来る石や岩を岸辺に堆積させる事が出来、水流は自然と河川の中央付近に流れるようになります。
【００１５】
この堰堤は単体でも効果を生じさせる事が出来ますが、建設場所の状況に応じて、幾つかを組み合わせることによりさらに大きな効果を得る事が出来ます。
この堰堤を両岸から交互に建設すれば、水の流れは中央部付近で蛇行して流れるようになり、より自然状態に近付ける事が出来ます。
この堰堤を、両岸から建設して中央付近で接続させれば、多量の土砂を堆積させながら水流部分が低く岸辺が高い自然の川の構造を再現出来ます。また、先端を接近させたたまま接続しない方法も設定出来ます。いずれも建設場所の状況に応じて対応させます。
この堰堤を、片側に短い間隔をおいて複数設置すれば、長い距離に亘って岸辺を高く保ち、護岸を強化する事が出来ます。
【発明の効果】
【００１６】
本発明の方法は、設置する場所によりその設定を変更することが可能ですから、水量や土砂の大きさや量が違い、それぞれに条件の異なる河川の上流、中流、或いは大きな河川や小さな河川など、何れの場所においても最適な効果をもたらす事が出来ます。
【００１７】
本発明の方法により河川の底の横断面をＵ字型に形成させることは、河川の自然状態を回復させることです。岸辺に石や岩の多い土砂を堆積する状態を作りだして、石や岩が自然状態で持っている機能を復活させ、水も土砂も自然に流れていく状態に変えていくことが出来ます。したがって、より下流の治水にも有益な効果をもたらします。また、河川の自然環境も改善し、生物の生息環境も取り戻す事も出来ます。
【００１８】
本発明の方法は、自然状態における石と岩と水の作用を利用したものですから、外見上も違和感の少ない自然の状態の河川敷を再現することが出来ます。
【図面の簡単な説明】
【００１９】
【図１】本発明の方法による堰堤を単独で建設した場合の実施例の概略的斜視図です。
【図２】図１の堰堤を適用した実施例を示すもので、複数の堰堤を両岸から交互に建設した場合の実施例の平面図です。
【図３】図１の堰堤を適用した実施例を示すもので、両岸より堰堤を建設して中央付近で接続させた場合の実施例の平面図です。
【図４】図１の堰堤を適用した実施例を示すもので、両岸より堰堤を建設して中央付近まで接近させて接続しない場合の実施例の平面図です。
【図５】図１の堰堤を適用した実施例を示すもので、片側の岸辺に複数の堰堤を建設した場合の実施例の平面図です。
【発明を実施するための形態】
【００２０】
本発明の実施例として、図１を説明します。
岸辺に近接してコンクリート製の堰堤（１）を建設します。堰堤は、岸辺より斜め上流方向に向かい、岸辺において高く、中央に進むに従い低くなる構造とします。
堰堤の高さはその周囲にある比較的大きな石や岩が岸辺近くに堰き止められる高さとします。先端は中央付近の川底が低下することを予想して自然に低くします。
また、水や小さな土砂が流下するように堰堤には幾つかのスリット或いは穴を設置します。
これにより、増水によって堰堤の上流に土砂が堆積します。増水と減水が繰り返されれば岸辺に近いほど比較的大きな土砂が堆積して、岸辺が高く中央が低い自然の河川が形成されます。
【００２１】
本発明の実施例として、図２を説明します。
河川の両岸から図１に示した堰堤を交互に建設します。これによって水流は河川の中央で蛇行して流れ、なおかつ両岸に比較的大きな石や岩が堆積して、水の流れる中央付近が低く岸辺が高い自然の姿の河川となります。
【００２２】
本発明の実施例として、図３を説明します。
両岸より堰堤を建設して中央付近で接続させた場合の実施例の平面図です。両岸より図１に示した堰堤を建設して中央付近で接続させます。これにより、大量の土砂を堰堤上流に堆積させる事が出来ます。また、水の流れは中央付近に集まり、岸辺が高く中央付近が低い自然の状態の河川とする事が出来ます。
【００２３】
本発明の実施例として、図４を説明します。
両岸より堰堤を建設して中央付近で接近させて接続しない場合の実施例の平面図です。両岸より図１に示した堰堤を建設して中央付近で接近させます。これにより、上流からの土砂を堰堤下流に流下させると共に、堰堤上流にも堆積させることが出来ます。ですから、堰堤上流もその下流も土砂の分布が均等に近くなります。上流も下流も共に、岸辺が高く中央付近が低い自然の状態の河川とする事が可能となります。
【００２４】
本発明の実施例として、図５を説明します。
片側の岸辺に短い間隔をおいて図１に示した堰堤を複数建設します。これにより長い距離に亘って、土砂を岸辺に堆積させることが出来ます。
【符号の説明】
【００２５】
１  本発明の方法による堰堤
２  排出口（堰堤に設置した穴）
３  排出口（堰堤に設置したスリット）
４  水流の方向
５  岸または護岸
６  堰堤の効果により堆積した土砂
７  水面
８  川底
【図１】
2012021353.tif 000003
【図２】
2012021353.tif 000004
【図３】
2012021353.tif 000005
【図４】
2012021353.tif 000006
【図５】
2012021353.tif 000007